【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
プロセスプラント内で物理的エンティティ間の接続をモデル化するために使用されるモデル化エンティティであって、
コンピュータ読取可能メモリと、
前記コンピュータ読取可能メモリに格納され、かつ、中央演算処理装置で実行されるように構成された接続オブジェクトとを備え、
前記接続オブジェクトは、プロセスプラント内の接続に関連する接続パラメータデータを格納するように構成されたパラメータメモリと、ユーザのためにディスプレイデバイスで表示するように構成された接続のグラフィック表示とを備えている、モデル化エンティティ。
【請求項２】
前記接続パラメータデータは、接続タイプの指示情報を有し、
前記グラフィック表示は、接続タイプの指示である、請求項１に記載のモデル化エンティティ。
【請求項３】
前記接続タイプは、パイプ接続、ダクト接続、電気的接続及びコンベヤ接続の内の一つである、請求項２に記載のモデル化エンティティ。
【請求項４】
前記パラメータメモリは、さらに接続を通る材料の流動に関連する流動パラメータデータを格納するように構成され、
前記流動パラメータデータは、方向、圧力、温度、密度、組成、材料タイプ及び流量の内の一つ以上の指示情報を有する、請求項１に記載のモデル化エンティティ。
【請求項５】
前記接続パラメータデータは、接続ステータスの指示情報を有し、
前記グラフィック表示は、接続ステータスの指示である、請求項１に記載のモデル化エンティティ。
【請求項６】
前記グラフィック表示は、接続オブジェクトと結合する測定オブジェクトで実行される流動測定の表示を有する、請求項１に記載のモデル化エンティティ。
【請求項７】
前記グラフィック表示は、さらに接続オブジェクトと結合するモデルオブジェクトで決定される流動組成の表示を有する、請求項１に記載のモデル化エンティティ。
【請求項８】
前記接続オブジェクトは、中央演算処理装置で実行され、かつ、接続に関連する出力を生成するために接続パラメータデータを使用するように構成された方法を有する、請求項１に記載のモデル化エンティティ。
【請求項９】
前記方法は、ユニット交換アルゴリズム、流動進路アルゴリズム、マスバランスアルゴリズム及び接続を通る流動をシミュレーションするためのシミュレーションアルゴリズムの内の一つ以上を有する、請求項８に記載のモデル化エンティティ。
【請求項１０】
プロセスプラントのモデル化オペレーションに使用されるモデル化システムであって、
コンピュータ読取可能メモリと、
前記コンピュータ読取可能メモリに格納され、かつ、プロセスプラント内の異なる物理的エンティティをモデル化するために中央演算処理装置で実行されるように構成された複数のモデル化オブジェクトとを備え、
前記複数のモデル化オブジェクトは、前記コンピュータ読取可能メモリに格納され、かつ、プロセスプラントの第一物理的エンティティ及び第二物理的エンティティにそれぞれ結合する第一プロセスオブジェクト及び第二プロセスオブジェクトと、
前記コンピュータ読取可能メモリに格納され、かつ、第一物理的エンティティと第二物理的エンティティとの間に接続で結合するとともに、接続に関連する接続パラメータデータを格納するように構成されたパラメータメモリと、ユーザのためにディスプレイデバイスで表示するように構成された接続のグラフィック表示とを有する接続オブジェクトとを備えている、モデル化システム。
【請求項１１】
前記第一物理的エンティティ及び第二物理的エンティティは、前記プロセスプラント内に配置されるフィールドデバイスを備えている、請求項１０に記載のモデル化システム。
【請求項１２】
前記第一プロセスオブジェクトは、接続オブジェクトへの論理的な接続が可能である接続仕様を有するストリームオブジェクトを有する、請求項１０に記載のモデル化システム。
【請求項１３】
前記接続パラメータデータは、接続タイプの指示情報を有し、
前記グラフィック表示は、接続タイプの指示である、請求項１０に記載のモデル化システム。
【請求項１４】
前記接続タイプは、パイプ接続、ダクト接続、電気的接続及びコンベヤ接続の内の一つである、請求項１３に記載のモデル化システム。
【請求項１５】
前記パラメータメモリは、さらに接続を通る材料の流動に関連する流動パラメータデータを格納するように構成され、
前記流動パラメータデータは、方向、圧力、温度、密度、材料タイプ、組成及び流量の内の一つ以上の指示情報を有する、請求項１０に記載のモデル化システム。
【請求項１６】
前記接続パラメータデータは、接続ステータスの指示情報を有し、
前記グラフィック表示は、接続ステータスの指示である、請求項１０に記載のモデル化システム。
【請求項１７】
前記複数のモデル化オブジェクトは、接続と結合する測定オブジェクトを備え、
グラフィック表示は、測定オブジェクトで実行される流動測定の表示を有する、請求項１０に記載のモデル化システム。
【請求項１８】
前記複数のモデル化オブジェクトは、接続と結合する流動組成オブジェクトを備え、
前記グラフィック表示手段は、流動組成の表示を有する、請求項１０に記載のモデル化システム。
【請求項１９】
前記接続オブジェクトは、中央演算処理装置で実行され、かつ、接続に関連する出力を生成するために接続パラメータデータを使用するように構成された方法を有する、請求項１０に記載のモデル化システム。
【請求項２０】
前記方法は、ユニット交換アルゴリズム、流動進路アルゴリズム、マスバランスアルゴリズム及び接続を通る材料の流動をシミュレーションするためのシミュレーションアルゴリズムの内の一つ以上を有する、請求項１９に記載のモデル化システム。
【請求項２１】
前記各複数のモデル化オブジェクトは、通信目的のための、モデル化オブジェクトを固有に識別するタグを有し、前記固有のタグを使用することで複数のモデル化オブジェクト間の通信が可能となる、請求項１０に記載のモデル化システム。
【請求項２２】
前記接続オブジェクトは、第一プロセスオブジェクト及び第二プロセスオブジェクトの内の一つと接続パラメータデータを通信可能とする一つ以上の出力部を備える、請求項１０に記載のモデル化システム。
【請求項２３】
プロセスプラントのモデル化オペレーションの方法であって、
コンピュータ読取可能メモリに複数のモデル化オブジェクトを格納することと、
ユーザが、第一物理的デバイスと第二物理的デバイスとの間の材料の流動を特定するために、接続オブジェクトを使用して、第一デバイスオブジェクトと第二デバイスオブジェクトとの間の接続を構築可能とすることと、
プロセスプラントのオペレーションをグラフィックで例示するために、ユーザのためにディスプレイデバイスで接続のグラフィック表示及びデバイスのグラフィック表示を表示することを含む、プロセスプラントのオペレーションのモデルを生成するために、中央演算処理装置で複数のモデル化オブジェクトを実行することとを有し、
さらに、前記各複数のモデル化オブジェクトは、プロセスプラント内の異なる物理的エンティティと結合するように構成され、
前記複数のモデル化オブジェクトは、前記コンピュータ読取可能メモリに格納され、かつ、プロセスプラントの第一物理的デバイス及び第二物理的デバイスにそれぞれ結合するとともに、パラメータメモリと、ユーザのためにディスプレイデバイスで表示するように構成されたグラフィック表示とをそれぞれ有する第一デバイスオブジェクト及び第二デバイスオブジェクトと、
前記コンピュータ読取可能メモリに格納され、かつ、接続パラメータデータを格納するように構成されたパラメータメモリと、ユーザのためにディスプレイデバイスで表示するように構成された接続のグラフィック表示とを有する接続オブジェクトとを備えている、方法。
【請求項２４】
前記複数のモデル化オブジェクトは、接続に関連する測定オブジェクトを備え、
接続のグラフィック表示を表示することは、測定オブジェクトで実行される流動測定を表示することを有する、請求項２３に記載の方法。
【請求項２５】
前記接続パラメータデータは、接続タイプの指示情報を有し、
前記接続タイプは、ダクト接続、パイプ接続及びコンベヤ接続の内の一つである、請求項２４に記載の方法。
【請求項２６】
前記複数のモデル化オブジェクトを格納することは、接続オブジェクト方法を格納することを有し、
前記接続オブジェクト方法は、第一物理的デバイスと第二物理的デバイスとの間の接続を通る材料の流動に関連する出力を生成するために接続パラメータデータを使用して中央演算処理装置で実行されるように構成されている、請求項２３に記載の方法。
【請求項２７】
前記接続オブジェクト方法は、第一物理的デバイスと第二物理的デバイスとの間の接続を通る材料の流動をシュミレーションするためのシュミレーションアルゴリズムを有する、請求項２６に記載の方法。
【請求項２８】
前記複数のモデル化オブジェクトを実行することは、接続オブジェクトから第一デバイスオブジェクト及び第二デバイスオブジェクトの一つに接続パラメータデータを伝達することを有する、請求項２３に記載の方法。
【請求項２９】
さらに、前記コンピュータ読取可能メモリに複数のテンプレートモデル化オブジェクトを格納することと、
ユーザが第一物理的デバイス及び第二物理的デバイスと一つ以上のテンプレートデバイスオブジェクトを結合することによって第一デバイスオブジェクト及び第二デバイスオブジェクトを作成可能とすることとを有する、請求項２３に記載の方法。
【請求項３０】
前記接続オブジェクトのパラメータメモリは、接続を通る流動に関連する流動パラメータデータを格納するように構成され、
前記流動パラメータデータは、方向、圧力、温度、密度、材料タイプ、組成及び流量の内の一つ以上に関する情報を有する、請求項２３に記載の方法。
【請求項３１】
前記接続パラメータデータは、接続ステータスの指示情報を有し、
前記グラフィック表示は、接続ステータスの指示である、請求項２３に記載の方法。
【請求項３２】
プロセスプラントのオペレーションをモデル化することに使用されるモデル化システムであって、
コンピュータ読取可能メモリと、
前記コンピュータ読取可能メモリに格納され、かつ、プロセスプラント内の異なる物理的エンティティをモデル化するために中央演算処理装置で実行されるように構成された複数のモデル化オブジェクトとを備え、
前記複数のモデル化オブジェクトは、プロセスプラント内の材料の流動に関連する材料の流動パラメータデータを格納するように構成されたストリームパラメータメモリと、ユーザのためにディスプレイデバイスで表示するように構成された材料の流動のグラフィック表示とを有する、プロセスプラント内の材料の流動に結合されるストリームオブジェクトと、
さらに、ユーザのためにディスプレイデバイスで表示するように構成された物理的デバイスのために、物理的デバイス及びデバイスグラフィック表示手段に関連するデバイスパラメータデータを格納するように構成されたデバイスパラメータメモリを有する、プロセスプラント内の物理的デバイスと結合されたモデル化オブジェクトとを有する、モデル化システム。
【請求項３３】
さらに、前記ストリームオブジェクトは、論理的にモデル化オブジェクトに接続可能である接続仕様を有する、請求項３２に記載のモデル化システム。
【請求項３４】
前記モデル化オブジェクトは、前記プロセスプラント内に配置されるフィールドデバイス及び前記プロセスプラント内に配置される材料輸送デバイスの一つと結合される、請求項３３に記載のモデル化システム。
【請求項３５】
前記接続仕様は、材料の流動をモデル化するために、ストリームオブジェクトが接続されてもよい遠方モデル化オブジェクトのタイプの仕様を有する、請求項３３に記載のモデル化システム。
【請求項３６】
前記遠方モデル化オブジェクトのタイプの仕様は、ダクト、パイプ及びコンベヤの内の一つを指示し、
前記遠方モデル化オブジェクトは、物理的ダクト、物理的パイプ及び物理的コンベヤの内の一つと結合される、請求項３５に記載のモデル化システム。
【請求項３７】
前記プロセスプラント内の材料の流動のタイプを定義する材料の流動パラメータデータを格納するように構成され、
前記材料の流動のタイプは、液体、気体及び一つ以上の個体の組成物の内の一つである、請求項３２に記載のモデル化システム。
【請求項３８】
前記ストリームパラメータメモリは、プロセスプラント内の材料の流動に関連する材料の組成に関する材料の流動パラメータデータを格納するように構成されている、請求項３２に記載のモデル化システム。
【請求項３９】
前記ストリームオブジェクトは、遠方モデル化オブジェクトに材料の流動パラメータデータを通信可能とする一つ以上の出力部を有する、請求項３２に記載のモデル化システム。
【請求項４０】
前記ストリームパラメータメモリは、プロセスプラント内で材料の流動の一つ以上の特性に関連する材料の流動パラメータデータを格納するように構成され、
一つ以上の特性の一つは、方向、圧力、温度、密度、材料タイプ、組成及び流量の指示である、請求項３２に記載のモデル化システム。
【請求項４１】
前記ストリームオブジェクトは、プロセスプラント内の材料の流動に関連する出力を生成するために材料の流動パラメータデータを使用して中央演算処理装置で実行されるように構成された方法を有する、請求項３２に記載のモデル化システム。
【請求項４２】
前記方法は、ユニット交換方法、流動進路アルゴリズム、マスバランスアルゴリズム及びシミュレーションアルゴリズムの内の一つ以上を有する、請求項４１に記載のモデル化システム。
【請求項４３】
前記ストリームオブジェクトは、プロセスプラント内の材料の流動に関連する一つ以上の測定パラメータを受信し、かつ、材料の流動パラメータデータとして一つ以上の測定パラメータを格納するように構成された一つ以上の通信入力部を備えている、請求項３２に記載のモデル化システム。